(57)【要約】【解決手段】  都市デザイン、レイアウトをかえる。システムを変える。それに伴う法または条例をかえる。その他、解決手段は実地例と同じである。【選択図】図9
2009189222.tif 000002
【特許請求の範囲】
【請求項１】
ＣＯ２を社会の仕組み構造を変える事で減らす。生活移動距離．空間をなくす。
（例）、国際空港の利用頻度の多い国の機関、並び輸出関連会社、商社を国際空港周辺に移す。
【請求項２】
都心のヒートアイランド現象を改善するに至って建築基準法を変え．都市整備法を創設する。
【請求項３】
高速道路を無料化し最大限使えるようにする。
【請求項４】
燃料効率のいい、省エネ型、道路レイアウトとする。
【請求項５】
熱効率のいい建造物また空気抵抗の少ない建造物とする。
【請求項６】
衣食住に関係ない娯楽、スポーツを廃止する。
【請求項７】
ガス．水道．電気．電話．下水の使用量を制限する。
【請求項８】
効率の良い、環境に良い都市デザイン、レイアウトとし、タクシーを廃止し、マイカー通勤をなくすなどの法を改正する。
【請求項９】
道路建設、道路整備費を確保する為、電池自動車に電力量金メーターを取り付ける。
【発明の詳細な説明】
【技術分野】
【０００１】地球温暖化防止、温室効果ガス削減、ヒートアイランド現象改善。
【背景技術】
【０００２】特になし。
【発明の開示】
【発明が解決しようとする課題】
【０００４】解決しようとする問題点は温室効果ガス削減。ヒートアイランド現象改善。
【課題を解決するための手段】
【０００５】［請求項１〜９］と以後の（１）〜（９）の内容は関連したものである。
（１）空の玄関と母屋の距離を縮める。首都が東京でなくてはならない理由はどこにもないので、国家機関、官公省庁、言わば首都を成田へ移す。加えて輸出が主な企業並び商社も成田に移す。
（２）建築基準法を変え、その他の関連法も変える。都市整備法を作り、その他の関連法も変える。（具体例）風通しのいい、日当りのいい、昼間．室内照明の少なくて済む建造物設計とし、それに準じた建物の配置、デザインとする。それには建ぺい率を２０％とし、容積率を４０％とし、１００坪以下の土地では建造物を建てられない様にし、建物を建てる場合、土地の中心又は道路を加えた中心から建てる。残りの８０％の土地は土ないしは砂．砂利．芝等のもので敷設する。高層ビルは高さ、形を制限し、立地条件を半径６キロ以内に同様の建物が存在し無いようにする。片寄りのないビル配置とする。新設、建て替え時の建築基準を以上の様にする。
（３）ガソリン税、軽油税を一律１ｌ当たり、概算で１００円上乗せする事で全国の高速道路並び有料道路を無料化する。６６０円位が良いだろう。
（４）未舗装をなくし、目的地までの最短道を造る。
（５）立方体における底辺かける高さの容量を、熱効率のいい対比とし、風の流れの良い建物とし、射熱や防寒に優れたものとする。窓にはシャッター、庇、カーテン、ブラインド．オーニングの取り付けを義務付ける。夏場はビル全体を覆う事の出来る、日傘等を用いる。また、窓の外にブラインドを設ける事も有効である。窓の面積は日中照明なしで済む大きさにする、部屋の大きさもそれに見合うものとする。狭小住宅とし、各部屋を仕切り、部屋自体も小さくする、夏は仕切りを外せる様にする。子供部屋は四畳半以下とする。大住居は課税を増やす。
（６）テレビ放送の放送時間帯を制限する。プロ野球、高校野球、お笑い、歌番組の廃止、又は時間制限、飲食店の時間制限を行う。衣食住に関係のない産業をなくす。
（７）ガス、水道、電気、電話、下水道料金を累進課税とする。
（８）発電所、ごみ焼却施設、生活関連必要不可欠な施設を住居の中心、都市、町の中心に置く。グリーンベルトを造る、効率の良い都市デザイン、レイアウトとし実行性のあるものとする為、法の改正、整備、行政改革、政府や都政が都市の改革改善を行う。そしてタクシーを廃止し、マイカー通勤をなくすなどの規制を設ける。
（９）電気自動車の電力使用量に応じて税を負担してもらう為、電力料金メーターを個々取り付ける。
【発明の効果】
【０００６】（１）公共機関を一纏めにする事で、移動距離がなくなり、無駄なＣＯ２を減らせる。
東関東自動車道の交通量激減によるＣＯ２大幅削減、首都が成田に移る事によって、これからまだ先２．３百年も成田まで通勤しなくて済む、それだけＣＯ２も減らせる。
首都に引きずられて、他の企業も引っ越すようになる。
効率を上げる目的はＣＯ２を減らす目的でもあり、その目的の為、公共事業が増え、内需拡大、経済活動を活性化させる。排出権を非購入、買わずに済むようになる。
（２）土の部分を芝や緑に砂利にする事で、雨水浸透率を高まり土の湿度が増え、夏は涼しくなり、地盤沈下も和らぐ。また従来の過密都市では、風通しが悪いから冷房を入れる、日当りが悪いから暖房を入れる、日当りが悪いから昼間でも照明を必要とする。これらの悪循環が拭い去られ電気代が掛からなくなりＣＯ２が削減できヒートアイランド現象改善され、発電所も無くて済む様になる。また防災上、安全、安心快適な住み良い住宅都市となる。隣接の家が離れている為、防火．防災．耐震性の優れた家でなくても、施主次第で決められる。また建物と建物の間隔があるから住居建造物の寿命が延びる。２００年住宅もまずは、立地環境を良くする事からで、これにより住宅の耐用年数が伸びる効果がある。更に高層ビルを間伐し形を変える事で、風通しが良くなる。
（３）燃費が良くなる高速道路が無料化されると殆どの車が高速道を利用する事になりＣＯ２も減らせる事になる。また一般道も高速道路使用者が増える為、一般道路の交通量が減り、渋滞が解消され、ＣＯ２も減る効果がある。また．ガソリン税を上げる事で石油の使用量を減らせる事になり、加えて乱暴なアクセルワークが減り、事故も減り、ＣＯ２排出量も減る事になる。そして暴走族の空ぶかし、暴走を減らせる。
（４）道路を良くする事でＣＯ２を減らす、遠回り、Ｓ字、未舗装、大回り、砂利道、凸凹、傾斜道がなくなれば、時間短縮となり、こうした未舗装、砂利道走行などによるタイヤのスリップロスをなくすし車の燃費も良くなる、こうして効率良く、車を移動させる事によってＣＯ２及び排ガスが少なくなる。
（５）面積当たりの容積、熱伝播率適正化する比率、並び、形にする事で、熱効率の良い建物となる。建物の形を空気抵抗の少ないものとする事で、風の通りが良くなり、洗濯乾燥機や、夏の冷房、扇風機を使わなくて済むようになる。窓にシャッター、庇、カーテン、ブラインド、オーニングの取り付けを建築基準法で義務付ける事でより省エネ効果を増す。狭小、小部屋住宅とする事で冷暖房費が少なくて済む。
固定資産税だけでなく、容積率、延べ床面積からも税金が取れ省エネ住宅化される。
（６）深夜零時以降のテレビ．ラジオ放送をなくす事で省エネとなり、節度ある人間社会を作る。プロ野球、高校野球をなくす又は放送しない事でクーラー付けてのテレビ観戦がなくなり省エネとなる、また馬鹿らしいお笑い、うるさい歌をなくし、おかしな飲食店類をなくし、又は．時間制限する事で教育道徳上好ましく、まともな人間が育ちやすく、省エネを心得た人間が育つ。スポーツによって環境破壊を起こさない様になる。
（７）ガス、水道、電気、電話、下水道料金を累進課税とする事で使い過ぎ、無駄に資源、電力を使い過ぎないようにする。
（８）もっとも庶民の利用頻度の多い公共施設等を町の中心に据え、移動距離を短くする事で省エネとなる。ゼブラ状に、環状線状にグリーンベルトを設け、緑豊かで空気の綺麗な町とする事で健康的になり保健の使用が減り、保険料が安くなる。
安全安心なる町となる。タクシー廃止、マイカー通勤をなくす事で渋滞が緩和されそれに伴いバス、電車を利用する人が増え省エネとなる、またタクシーがなくなる事でアイドリングもストップなくなる。省エネ効果を齎す公共事業導入で、ＣＯ２を減らし、雇用も膨らむ。企業よりも国が温暖化対策を講じる事で、先導する事でより効果が増す。
（９）電気自動車個々に電力メーターを取り付ける為、その使用量に応じて税金が取れ、その財源を道路拡張並び整備費にあてられる。
【発明を実施するための最良の形態】
【実施例１】
【０００７】玄関と母屋の距離をなくす、具体例として成田国際空港近辺に国家機関、国会議事堂並び、輸出関連企業を持って行く。
【実施例２】
【０００８】日当り、風通しの良い住まい街づくりとする。雨水浸透部分を多くする。都市や町も閑静、簡素化し、機能的なレイアウトとする。敷地の緑化部分を３／４以上とする。ビルの高さを樹木程度とする。
【実施例３】
【０００９】ガソリン、軽油税の中に高速道路料金を含ませ、高速道路を無料化する。
【実施例４】
【００１０】自動車のみにＣＯ２削減を求めるのではなく、道路を良くする事でＣＯ２を減らす。
【実施例５】
【００１１】建物の大きさ形、仕様、機能、配置を最適化する。
【実施例６】
【００１２】法規制により、生活環境を整え良くする。
【実施例７】
【００１３】一般平均家庭に於けるガス、水道、電気、電話、下水道、ガソリン、軽油の使用量を制限する。又は制限量を上回るも者は、税の負担を多くする。
【実施例８】
【００１４】省エネ型、環境型の街、町、都市の配置、構造とする。具体的には利用頻度の多い施を街、町、都市の中心に備える。それをグリーンで包囲するレイアウトとする。
【実施例９】
【００１５】電気自動車個々に電力メーターを取り付ける。
【産業上の利用可能性】
【００１６】ロス、無駄の少ない生活環境。住宅密集地の改善。生活環境の改善。ヒートアイランド現象の解消。ガソリン、軽油の消費量削減。Ｃｏ２を減らす為の公共事業推進。省エネ建造物推進。贅沢、無駄の廃止。適正な納税。洞爺湖サミットに於けるこれらの、省エネシステムの推進普及。
【手続補正書】
【提出日】平成20年11月3日(2008.11.3)
【手続補正１】
【補正対象書類名】特許請求の範囲
【補正対象項目名】全文
【補正方法】変更
【補正の内容】
【特許請求の範囲】
【請求項１】
CO2並び温室効果ガスを社会の仕組み構造を変える事で減らす。生活移動距離.空間をなくす。（例）、国際空港の利用頻度の多い国
の機関、並び輸出関連会社、商社を国際空港周辺に移す。又は空港の地下を国の機関、並び輸出関連会社、商社をもってくる。
【請求項２】
都心のヒートアイランド現象を改善するに至って建築基準法を変え都市整備法を創設する。
【請求項３】
高速道路を無料化し最大限使えるようにする。  
【請求項４】
燃料効率のいい、省エネ型、道路レイアウトとする。
【請求項５】
熱効率のいい建造物また空気抵抗の少ない建造物とする。  
【請求項６】
衣食住に関係ない娯楽、スポーツを廃止する。体さえでかければいいスポーツはなくす。
【請求項７】
ガス.水道.電気.電話.下水の使用量を制限する。  
【請求項８】
効率の良い都市デザイン、レイアウトとし、タクシーを廃止し、マイカー通勤をなくすなどの法を改正する。
【請求項９】
道路建設、道路整備費を確保する為、電池自動車に電力量金メーターを取り付ける。
【請求項１０】
ハイブリットカー、電気、水素、燃料電池、太陽光発電、バイオ燃料車をなくす為、主用幹線道路をリニアモーターカーと同じ駆動方式を用いる、又はベルトコンベアー方式をとる、又は架線から電気を取る。
【請求項１１】
空港の緑化騒音温暖化対策の為、空港自体をプールの上に浮かばす。そのプールの下に国の機関、並び輸出関連会社、商社をもってくる。
【請求項１２】
全ての道路を、鉄道を、地下か、プールの上、水上化し、その道路の揺れも発電化する。つまり川の上に浮かばす形で道路を造る。
【請求項１３】
建造物、建物、ビル、交通機関すべてを地下に埋め込み、室内温度を常温化する。コンクリートの躯体部は真空サンドイッチ断熱工を
用いる。地上は緑化する。緑化100%以下は罰金罰則を設ける。
【手続補正２】
【補正対象書類名】明細書
【補正対象項目名】全文
【補正方法】変更
【補正の内容】
【発明の詳細な説明】
【技術分野】
【０００１】
環境改善、地球温暖化防止、温室効果ガス削減、ヒートアイランド現象改善、光化学スモッグ削減。
【背景技術】
【０００２】
特になし。
【発明の開示】
【発明が解決しようとする課題】
【０００３】
解決しようとする問題点は温室効果ガス削減。ヒートアイランド現象改善、光化学スモッグ、脱石油、地表付近の温度低減、並び削減。 
【課題を解決するための手段】
【０００４】
(1)  空の玄関と母屋の距離を縮める。首都が東京でなくてはならない理由はどこにもないので、国家機関、官公省庁、言わば首都を成田へ移す。加えて輸出が主な企業並び商社も成田に移す。  官公庁を適材適所な場所に移動する。又は２４時間離着陸可能で空域制限の場所に新たに空港を造り、その周辺に国の機関を移す。又は空港の地下に国の機関、並び輸出関連会社、商社をもって来る。
(2)  建築基準法を変え、その他の関連法も変える。都市整備法を作り、その他の関連法も変える。(具体例) 風通しのいい、日当りのいい、昼間室内照明の少なくて済む建造物設計とし、建物の配置、デザインもそれに準じたものとする。それには建ぺい率20％とし、容積率を40％とし、100坪以下の土地では建造物を建てられない様にし、建物を建てる場合、土地の中心又は道路を加えた中心から建てる。残りの80％の土地は土ないしは砂.砂利.芝等のもので敷設する。高層ビルは高さ、形を制限し、立地条件を半径6キロ以内に同様の建物が存在し無いようにする。新設、建て替え時の建築基準を以上の様にする。200年住宅と太陽光発電は相違しないので、屋根緑化とする。  屋根瓦も壁も棚田や段々畑の様にする、水平の受け皿を造りそこに苔などを生やす。工場、オフィス、事業所、倉庫を地下に埋め込む。マンション、一般住宅は半地下構造にし道路その他の物も殆ど全てを地中に埋め込む。２００年住宅もまずは立地環境を良くする事からなので、その基盤整備として建築基準法を変える。または敷地の２倍近くを緑化する。
(3)  ガソリン税、軽油税を一律１リットル当たり、２００円もしくは６６０円又は1100円にする事で、全国の高速道路並び有料道路を無料化する。  
(4)  未舗装をなくし、目的地までの最短道を造る。  
(5)  立方体における底辺かける高さの容量を、熱効率のいい対比とし、風の流れの良い建物とし、射熱や防寒に優れたものとする。窓にはシャッター、庇、カーテン、ブラインド、ジャバラ式のオーニングの取り付けを義務付ける。夏場はビル全体を覆う事の出来る、日傘等を用いる。又、窓の外にブラインドを設ける事も有効である。窓の面積は日中照明なしで済む大きさにする、部屋の大きさもそれに見合うものとする。住宅は狭小住宅とし、各部屋を仕切り、部屋自体も小さくする、夏は仕切りを外せる様にする。子供部屋は四畳半以下とする。大住居は増税する。  
(6)  テレビ放送の放送時間帯を制限する。プロ野球、高校野球、お笑い、歌番組の廃止、又は時間制限、飲食店の時間制限を行う。衣食住に関係のない産業をなくす。  
(7)  ガス水道電気電話下水道料金を累進課税とする。  
(8)  生活関連、必要不可欠な施設を住居の中心、都市、町の中心に置く。だが発電所、ごみ焼却施設などはなるべく離す。グリーンベルトを造る、
効率の良い都市デザイン、レイアウトとし実行性のあるものとする為、法の改正、整備、行政改革、政府や都政が都市の改革改善を行う。
行政もタクシーを廃止し、マイカー通勤をなくすなどの規制を設ける、通勤は原則徒歩とする。  
(9)  電気自動車の電力使用量に応じて税を負担してもらう為、電力料金メーターを個々取り付ける。
(10)  道路のリニア化、水上か、地下化する。コンクリートの躯体部は真空サンドイッチ断熱工法を用いる。
(11) 公務員の給料を日経平均株価連動式とし、経済活動の衰退を防ぎ公務員にやる気を起こさせる。特に国会議員、並び、それらの関する行政機関、各省庁。
【発明の効果】
【０００５】
(1)  公共機関を一纏めにする事で、移動距離がなくなり、無駄なCO2を減らせる。東関東自動車道の交通量激減によるCO2大幅削減、首都が成田に移る事によって、これからまだ先2.3百年も成田まで通勤しなくて済む、それだけＣＯ２も減らせる。首都に引きずられて、他の企業も引っ越すようになる。効率を上げる目的はCO2を減らす目的でもあり、その目的の為、公共事業が増え内需拡大、経済活動を活性化させる。排出権を非購入、買わずに済むようになる。  又は空港の地下に官公庁オフィスを造るか、首都東京全土を土盛りしてその上に空港を造る。都庁並び議事堂は土盛りするか、地下に埋め込む事で、建物の温度、室内温度が一定になり省エネになる。
(2) 舗装、コンクリート、
土の部分を芝や緑に砂利にする事で、雨水浸透率を高まり土の湿度が増え、夏の涼しくなり、地盤沈下も和らぐ。また、従来の過密都市では、風通しが悪いから冷房を入れる、日当りが悪いから暖房を入れる、日当りが悪いから昼間でも照明を必要とする、この悪循環が拭い去られ電気代が掛からなくなりCO2が削減できヒートアイランド現象改善され、発電所も無くて済む様になる。また防災上、安全、安心快適な住み良い住宅となる。防火、耐震性の優れた家でなくても、施主次第で決められる。また建物と建物の間隔があるので住居建造物の寿命が延びる。これにより住宅の耐用年数が伸びる効果となる。更に高層ビルを間伐し、形を変える事で、風通しが良くなる。すべての建造物を地下に持って行く事で、地表付近の温度が緩和され、陸上のエルニーニョ現象と言えるべき現象が減る。また、CO2削減だけでは温暖化防止とはならない。  建物、道路を地下化する事でエアコンの使用量が減る。
(3)  燃費が良くなる高速道路が無料化されると殆どの車が高速道を利用する事になりCO2も減らせる事になる。また一般道も、高速道路使用者が増える為、一般道路の交通量が減り、渋滞が緩和され、ＣＯ２も減る効果がある。また、ガソリン税を上げる事で石油の使用量を減らせる事になり、加えて乱暴なアクセルワークが減り、事故も減り、ＣＯ２排出量も減る事になる。そして暴走族の空ぶかし、暴走を減らせる。  
(4)  道路を良くする事でCO2を減らす、遠回り、 S字、未舗装、大回り、砂利道、凸凹、傾斜道がなくなれば、時間短縮となり、加えて砂利道などによるタイヤのスリップロスをなくすし車の燃費も良くなる、こうして効率良く車を移動させる事によってCO2及び排ガスが少なくなる。
(5)  面積当たりの容積、熱伝播率適正化する比率、並び、形にする事で熱効率の良い建物となる。建物の形を空気抵抗の少ないものとする事で、風の通りが良くなり、洗濯乾燥機や、夏の冷房、扇風機を使わなくて済むようになる。窓にシャッター、庇、カーテン、ブラインド、オーニングの取り付けを建築基準法で義務付けする事でより省エネ効果を増す。狭小、小部屋住宅とする事で冷暖房費が少なくて済む。固定資産税だけでなく、容積率、延べ床面積からも税金が取事により省エネ住宅化される。  
(6)  深夜零時以降のテレビ.ラジオ放送をなくす事で省エネとなり、節度ある人間社会を作る。プロ野球、高校野球をなくす又は放送しない事でクーラー付けてのテレビ観戦がなくなり省エネとなる、また馬鹿らしいお笑い、うるさい歌をなくし、おかしな飲食店類をなくし、また、時間制限する事で教育道徳上好ましく、まともな人間が育ちやすく、省エネを心得たまともな人間が育つ。スポーツによって環境破壊を起こさない様になる。  
(7)  ガス、水道、電気、電話、下水道料金を累進課税とする事で使い過ぎ、無駄に資源、電力を使い過ぎないようにする。
(8)  もっとも庶民の利用頻度の多いもの公共施設等を街の中心に据え、移動距離を短くする事で省エネとなる。ゼブラ状に、環状線状にグリーンベルトを設け、緑豊かで空気の綺麗な町とする事で健康的になり保健の利用が減り、保健料が安くなる。また、タクシーの廃止、マイカー通勤をなくす事で渋滞が緩和されそれに伴いバス、電車を利用する人が増え省エネとなる、またタクシーがなくなる事でタクシーの客待ち時間の、アイドリングもなくなる、更に、無駄に公務員が残業しなくなる。公務員は全て徒歩通勤とする。これら省エネ効果を齎す公共事業導入で、CO2を減らし、雇用も膨らむ。企業よりも国が温暖化対策を講じる事で、(先導する事で)より効果が増す。詰まり安全安心なる社会となる。
(9)  電気自動車個々に電力メーターを取り付ける為、その使用量に応じて税金が取れ、その財源を道路拡張並び整備費にあてられる。  
(10)  道路をリニアモーター化する事で、ハイブリットカー、電気自動車、水素、燃料電池、太陽光発電車などをなくす為、それを造るまでに出るCO2が減る。余分な電池を造らなくて済む。今あるハイブリットカーは、普通車より100万円高い為、ガソリンを100万円買った方が安く済む。電気自動車は2年毎に100万円もの電池交換が余儀なくされる為、割高であり経費節減になる。ソーラーハウスは設備に300〜500万掛けて15年しか持たないので、300万円円電気代買った方が安くなる。ハイブリットかーは造ってから廃棄するまで、部品の点数が多いから、CO2が通常の5倍は出る事になる。これからは水蒸気爆破エンジンの方が期待が持てる。
(11)  コンクリートの躯体部を真空サンドイッチ工法とする事で断熱性、部屋の湿度、遮音性が改善され、ペアガラスが仮枠を兼ねるので、仮枠の
必要性がなくなる。
【発明を実施するための最良の形態】
【０００６】
全ての暮らし向きや、街の構造の簡素化、単純化、効率化、省エネ化、CO2削減化する事で無公害化する。
【実施例１】
【０００７】
実施例全てに於ける、改善、改革方法、具体案、解決策としては、玄関と母屋の距離をなくす、具体例として成田国際空港近辺に国家機関、国会議事堂並び、輸出関連企業を持って行く。より強制力を高める為、法を成立する。怠慢業務には新たな罰則を設ける。空港の地下には全ての国家機関、国会議事堂並び、輸出関連企業を設置する。
【実施例２】
【０００８】
日当り、風通しの良い住まい街づくりとする。雨水浸透部分を多くする。都市や町も閑静、簡素化し、機能的なレイアウトとする。
敷地の緑化部分を3/4以上とする。200%以上も可能である。ビルの高さを樹木程度とする。すべての建造物を地下にする。
【実施例３】
【０００９】
ガソリン、軽油税の中に高速道路料金を含ませ、高速道路を無料化する。
【実施例４】
【００１０】
自動車のみにCO2削減を求めるのではなく、道路を良くする事でCO2を減らす。
【実施例５】
【００１１】
建物の大きさ形、仕様、機能、間取り、配置を最適化する。住いは全て四畳半以下の方が効率が良く、一部屋、一部屋、個別に仕切る。尚且つ天井を低くする、部屋の隅々の角の部分を丸める。卵に近い部屋の形とする。また階段が、部屋との仕切りが無い場合、(主にリビングなど)  それが吹き抜けとなり、冷暖房の逃げ場となり熱効率を悪くするので、部屋の煙突とならない様仕切る。
【実施例６】
【００１２】
法規制により、生活環境を整え、良くする。
【実施例７】
【００１３】
一般平均家庭に於けるガス、水道、電気、電話、下水道、ガソリン、軽油の使用量を制限する。又、制限量を上回るも家庭は、
税の負担を多くする。体のでかい者からCO２税を取る。体長を150ｃｍ以下、体重45キロ以下にする。寿命を75歳までとし、
それ以上長生きを望むものは、長生き贅沢税を施行する。でかけりゃ勝つスポーツは廃止する。お中元、お歳暮、年賀をなくす。
【実施例８】
【００１４】
省エネ型、環境型の街、町、都市の配置、構造とする。具体的には利用頻度の多い施設を街、町、都市の中心に備える。それ
をグリーンで包囲するレイアウトとする。太陽光反射塗料は熱を反射し大気温を上げるので廃止し、夏は熱を取り込みづらくし、
冬は熱を吸収する、春夏秋冬全てに有効な灰色とする。
【実施例９】
【００１５】
電気自動車個々に電力メーターを取り付ける。
【実施例１０】
【００１６】
土の部分、緑の部分を減らさずに、返って増やすぐらいの建物とする。空力を考え風の流れを良くする。
【実施例１１】
【００１７】
コンクリートの湿気断熱効果を高める。
【実施例１２】
【００１８】
窓を多くしシャッター、ジャバラ式日除けを設置する。半地下構造を用い室内温度管理を省エネ化する。屋根、壁を緑化する。
偏光ガラスでも良い、風呂のお湯を使用後、真空容器に貯蓄する。ボイラーの排熱もあらゆる暖房として利用する。
【実施例１３】
【００１９】
道路をリニアモーター化する。主に、主要幹線道路をリニア誘導モーター化する。タイヤをローター、ステーターとしても良い。
自動車専用道路なら、路面から電気を供給しても良い。地下に電線、裸線、パンタグラフを持って行く。
【実施例１４】
【００２０】
空港道路鉄道をプール上にする事で、緑化出来ない分を水中の藻や水草で補える。また道路、鉄道、全て地下にする。
【実施例１５】
【００２１】
二重真空ガラスをコンクリート躯体の外面と内面の両面に貼り付けても良い。又、壁緑化に際し、外壁に凹凸や気孔、ポケットを仮枠に設けそこにコンクリートを打設しても良い。又は打設後、砂利、砂を軽石を吹き付けても良い。
【実施例１６】
【００２２】
柱を免震、制震構造とする。
【実施例１７】
【００２３】
200年住宅と太陽光発電は相違しないので、屋根緑化とする。200年も立地条件によるのでその基盤整備として建築基準法を
変える。
【実施例１８】
【００２４】
工場、オフィス、事業所、倉庫、地下に、マンション、一般住宅は半地下にし、道路殆ど全てを地中に埋め込む。
【実施例１９】
【００２５】
空気力学的に優れたものとし、緑化200%以上の建物とする。
【産業上の利用可能性】
【００２６】
ロス、無駄の少ない生活環境。住宅密集地の改善。生活環境の改善。ヒートアイランド現象の解消。ガソリン、軽油の消費量削減。Co2を減らす為の公共事業推進。省エネ建造物推進。贅沢、無駄の廃止。適正な納税。省エネシステムの推進普及。
【図面の簡単な説明】
【００２７】
【図１】真空サンドイッチ断熱、構造躯体を表した断面図。((実施例15)
【図２】日除けを表した図である。側面図。
【図３】緑化屋根、壁、を表した図である。((実施例12)
【図４】プール水上空港地下都市を表した図である。
【図５】緑化200%建物と空力ヒートアイランド減少に優れた建物を表した図である。(実施例19)
【図６】免震方式構造で柱が横揺れ様に対策を講じられた内部構造も表した図、ダンパーである。
【図７】は、上下の揺れに対処した柱の構造を表した図である。
【図８】その他の免震装置3通りを表した図である。
【図９】グリーンで包囲するレイアウト都市、住い環境を表した図である。
【符号の説明】
【００２８】
１  ガラス。
２  真空部分。
3  コンクリート躯体。
4  パネル。
5  耐熱性があり熱伝導率のいい素材。
6  発熱母体。
7  ジャバラ式日除け。
8  シャッターボックス。
9  窓。
10  建物。
11  屋根。
12  弁当箱型の屋根瓦、水平に設置する。
13  溝付き、弁当箱型の壁、凹凸壁。
14  側面、壁。
15  浮上滑走路並び道路。
16  自動車、車。
17  水、又はオイル。
18  飛行機。
19  プール、水槽。
20  緑化並び制震プール。
21  緑化200以上可能な空気抵抗の少ない建物、
22  脚、柱。
23  エスカレーター。
24  上柱。
25  下柱。
26  ダンパー、孔。
27  空気バネ、又はオイル。
28  板バネ。
29  コイルバネ
30  グリーンベルト。
31  環状線。
32  放射状の道路。
【手続補正３】
【補正対象書類名】図面
【補正対象項目名】全図
【補正方法】変更
【補正の内容】
【図１】
2009189222.tif 000003
【図２】
2009189222.tif 000004
【図３】
2009189222.tif 000005
【図４】
2009189222.tif 000006
【図５】
2009189222.tif 000007
【図６】
2009189222.tif 000008
【図７】
2009189222.tif 000009
【図８】
2009189222.tif 000010
【図９】
2009189222.tif 000011
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
CO2を社会の仕組み構造を変える事で減らす。生活移動距離.空間をなくす。（例）、国際空港の利用頻度の多い国の機関、並び輸
出関連会社、商社を国際空港周辺に移す。又は空港の地下を国の機関、並び輸出関連会社、商社をもってくる。
【請求項２】
都心のヒートアイランド現象を改善するに至って建築基準法を変え都市整備法を創設する。
【請求項３】
高速道路を無料化し最大限使えるようにする。  
【請求項４】
燃料効率のいい、省エネ型、道路レイアウトとする。
【請求項５】
熱効率のいい建造物また空気抵抗の少ない建造物とする。  
【請求項６】
衣食住に関係ない娯楽、スポーツを廃止する。体さえでかければいいスポーツはなくす。
【請求項７】
ガス.水道.電気.電話.下水の使用量を制限する。  
【請求項８】
効率の良い都市デザイン、レイアウトとし、タクシーを廃止し、マイカー通勤をなくすなどの法を改正する。
【請求項９】
道路建設、道路整備費を確保する為、電池自動車に電力量金メーターを取り付ける。
【請求項１０】
ハイブリットカー、電気自動車、水素、燃料電池、太陽光発電車を少なくする為、主用幹線道路を道路自体リニアモーター化し、リニアモーターカーと同じか、リニア誘導モーターなどを用い、車に搭載する側を二次側、詰まり鉄心とする事で無駄な電池を作らず乗せずに済む。一次側を超電導コイルを用いる事で更に省エネとなる。これらを鉄道.路面電車.大型車.牽引車などにも用いる。又はベルトコンベアー方式をとる。
【請求項１１】
空港の緑化騒音温暖化対策の為、空港自体をプールの上に浮かばす。そのプールの下に国の機関、並び輸出関連会社、商社をもっ
てくる。プール内には藻や水草をはんしょくさせる
【請求項１２】
全ての道路並びに鉄道を地下か、プールの上、水上化し、その道路の揺れも発電化する。つまり川の上に浮かばす形で道路を造る。  建物もプール上の上に建てる。
【請求項１３】
建造物建物ビル交通機関すべてを地下に埋め込み、室内温度を常温化する。コンクリートの躯体部は真空サンドイッチ断熱工法用い
る。地上は緑化する。
【請求項１４】
軽自動車の排気量を1100cc3気筒ターボエンジンとし、660ccで時速80kで4500回転のところ1100ccで2500回転とする事で、トルクアップを図り省エネとする。又は二輪車は５０ccと四輪車は２５０ccまでとする。又、タイヤをＷタイヤ、台形タイヤ、省エネタイヤとする。タイヤは内側を小径とし、ブレーキ時や、コーナーリング時には接地性を高める様にする。
【請求項１５】
公用車、公務員の車をすべて軽自動車にする。公務員、取り分け環境、警察、経済産業省の人間は原則徒歩、又は移動を５０ccの原動機付きバイクとする。乗用車での一人乗りを禁止する。
【請求項１６】
紀尾井町の参議院宿舎も緑化200％の建物とし建設する事で緑化が維持出来建物の建設が可能となる。地下に建設する場合は、都の緑化を維持拡大する為、近隣も同じにする。近隣で先に自然壊して建てて住んでいる者が、人には建てるなとは、不条理、不公平、理不尽、早い者勝ちとなるので、後から建てる建造物と同じ条件、建ぺい率と、容積率で建て替えさせる。これは先にCO2を出して置きながら人には出すなと言うのと同じ事である。
【請求項１７】
道路そのものを、トンネル状にし、空気送風物流移動システム環状循環させる。これにより燃費の低減、エンジン動力の不要化が齎される。トンネルや地下鉄などにも応用出来る。
【請求項１８】
室内環境も良くする為、掃除機をランドセルの様に背負うようにし排気も上へ出し、階段なども掃除し易い様にする。環境健康面でも良くなる。又、冷蔵庫を真空断熱、又は真空ペアガラスとする事で中の物が見え、断熱と食べ残しを減らす。又、排熱を夏は外に出す様にし、冬は窓を閉じるようにする。又、夏場、煮炊きしながら、クーラーを掛けるのでは効率が悪くなるので、夏場の炊事場は仕切る様にし、換気と扇風機で暑さを凌ぐようにする。
【請求項１９】
アイドリングから1500rpmまで電動力とし。変則排気量シリンダー、四気筒であるならば、50,125,250,500ｃｃとし、停止している時は50ｃｃ一定速度で走り続ける時は、２５０ｃｃとする。又それらを個別に操作する為、電磁バルブを用いる。これでエアコンも停止中でも使える。
【請求項２０】
環境改善に欠かせないのが教育改革なので、自制心、抑制、マナー、ルール、良い悪いを徹底して教え込み、公害を無くし、犯罪や事故を減らす、無くす、つまり正しい人間を育てる。人類存続を目的とした教育とする、つまり自然環境を敬う教育とする。
【請求項２１】
人類の継続.生存を重視するからして、性別の差、身体的条件、体さえでかければ達成出来る記録などに国民栄誉賞を与えず。自然環境維持、献身的で犠牲心がある者に与える。他の動物を崇拝する事が人類生存の鍵である事を徹底して教え込む。学校も勉強も、環境、命あっての物種である事を教え込む。人間至上主義。「人間の命は地球よりも重いなどの発言は撤回させる。」  この様に地球を人間以下と見下し、蔑ろにした結果。今現在の公害や温暖化、ゴミの不法投棄へと至ったので、この発言の撤回と、発言者の処分等を行う。オリッピックを行う位なら、機械なしで百姓をやる、競技は体がでかく金と暇さえある人間が勝つので、それでは意味がないので競技出来ないでいる国や人間を増やす。
ゲーム性が強くどちらかと言うと汚い事をやれば勝てる、野球を廃止し、兎に角走らせ、体力と持久力を育てる。育てるのが教育である。体育とは体を育成する教科なのである、これにより徒歩での通勤者も増える事になる。
【請求項２２】
以上の様な省エネ、低公害、低燃費この様なCO２削減策がありながら、実行しないのは業務怠慢と見なし、減俸、成敗とする。